【手続補正書】
【提出日】平成18年8月8日(2006.8.8)
【手続補正１】
【補正対象書類名】特許請求の範囲
【補正対象項目名】全文
【補正方法】変更
【補正の内容】
【特許請求の範囲】
【請求項１】
画面内で再同期処理のための再同期識別子が付加されている符号化画像データを入力する入力手段と、
上記符号化画像データの符号誤りを検出する誤り検出手段と、
上記再同期識別子を検出する再同期検出手段と、
上記誤り検出手段での検出結果に応じて、上記符号化画像データに対して誤り補償処理を実行する誤り処理手段とを備え、
上記誤り処理手段は、上記誤り検出手段により符号誤りが検出された以降の符号化画像データを補償する第１の処理モードと、上記誤り検出手段により符号誤りが検出された以降に上記再同期検出手段により再同期識別子が検出されるまでの期間、符号化画像データを補償する第２の処理モードを有し、
さらに上記誤り処理手段は、上記符号化画像データの属性に応じて上記第１の処理モードと第２の処理モードを選択することを特徴とする画像処理装置。
【請求項２】
上記符号化画像データの属性は、少なくとも上記符号化画像データが静止画像か動画像かの情報を含み、静止画像の場合には上記第２の処理モードを選択し、動画像の場合には上記第１の処理モードを選択することを特徴とする請求項１記載の画像処理装置。
【請求項３】
上記符号化画像データの属性は、少なくとも上記符号化画像データを符号化する際に用いた符号化方式情報を含むことを特徴とする請求項１記載の画像処理装置。
【請求項４】
上記符号化方式は、少なくともＪＰＥＧ符号化方式またはＭＰＥＧ符号化方式を含むことを特徴とする請求項３記載の画像処理装置。
【請求項５】
上記符号化画像データの属性は、少なくとも上記符号化画像データを再生する際の再生方式情報を含み、上記再生方式情報は少なくとも特殊再生方式かを含むことを特徴とする請求項１記載の画像処理装置。
【請求項６】
上記符号化画像データを復号する復号化手段をさらに備えることを特徴とする請求項１記載の画像処理装置。
【請求項７】
画面内で再同期処理のための再同期識別子が付加されている符号化画像データを入力する入力ステップと、
上記符号化画像データの符号誤りを検出する誤り検出ステップと、
上記再同期識別子を検出する再同期検出ステップと、
上記誤り検出ステップでの検出結果に応じて、上記符号化画像データに対して誤り補償処理を実行する誤り処理ステップとを有し、
上記誤り処理ステップは、上記誤り検出ステップにより符号誤りが検出された以降の符号化画像データを補償する第１の処理モードと、上記誤り検出ステップにより符号誤りが検出された以降に上記再同期検出ステップにより再同期識別子が検出されるまでの期間、符号化画像データを補償する第２の処理モードを有し、
上記誤り処理ステップは、上記符号化画像データの属性に応じて上記第１の処理モードと第２の処理モードを選択することを特徴とする画像処理方法。
【請求項８】
請求項７記載の画像処理方法を構成する各ステップをコンピュータに実行させるためのプログラム。
【請求項９】
請求項７記載の画像処理方法を構成する各ステップをコンピュータに実行させるためのプログラムを記録したことを特徴とするコンピュータ読み取り可能な記憶媒体。
【請求項１０】
入力符号化データ列のヘッダ情報を解析して符号化パラメータを取得するヘッダ情報処理ステップと、
上記入力符号化データ列の連続する複数の可変長符号からなる画像情報を順次復号化して一連の係数シーケンスを取得する可変長符号復号化ステップと、
上記ヘッダ情報処理ステップにより得られた符号化パラメータと、上記可変長符号復号化ステップにより得られた一連の係数シーケンスとに基づいて、上記画像情報を再構成する画像再構成ステップとを含む画像処理方法であって、
上記入力符号化データ列に含まれる符号誤りを検出する検出ステップと、
上記検出ステップによる検出結果により、上記ヘッダ情報処理ステップに向けて上記入力符号化データ列中に符号誤りを検出したことを通知する通知ステップと、
上記符号誤りを含む入力符号化データ列を補償するデータとして一連の係数シーケンスを生成する生成ステップと、
上記生成ステップにより生成された補償データを排出する排出ステップと、
上記可変長符号復号化ステップから上記ヘッダ情報処理ステップに対して上記入力符号化データ列の一部を出力する出力ステップと、
上記出力ステップにより得られる入力符号化データ列中から再同期識別子を探索する探索ステップと、
上記探索ステップによる再同期識別子探索の実行を判断する判断ステップとをさらに含むことを特徴とする画像処理方法。
【請求項１１】
上記ヘッダ情報処理ステップから上記可変長符号復号化ステップに向けて連続する複数の可変長符号に対する復号化処理の動作開始指示を行う指示ステップと、
上記可変長符号復号化ステップから上記ヘッダ情報処理ステップに向けて全ての一連の係数シーケンスに対する復号化処理の動作終了通知を行う通知ステップとをさらに含むことを特徴とする請求項１０記載の画像処理方法。
【請求項１２】
上記判断ステップは、復号化処理する画像が静止画像であるか又は動画像であるかによって再同期識別子探索の実行を判断するステップを含むことを特徴とする請求項１０記載の画像処理方法。
【請求項１３】
上記判断ステップは、対象画像へ用いる符号化方式によって再同期識別子探索の実行を判断するステップを含むことを特徴とする請求項１０記載の画像処理方法。
【請求項１４】
コンピュータに所定のステップを実行させるためのプログラムであって、
上記所定のステップは、
入力符号化データ列のヘッダ情報を解析して符号化パラメータを取得するヘッダ情報処理ステップと、
上記入力符号化データ列の連続する複数の可変長符号からなる画像情報を順次復号化して一連の係数シーケンスを取得する可変長符号復号化ステップと、
上記ヘッダ情報処理ステップにより得られた符号化パラメータと、上記可変長符号復号化ステップにより得られた一連の係数シーケンスとに基づいて、上記画像情報を再構成する画像再構成ステップとを含み、さらに、
上記入力符号化データ列に含まれる符号誤りを検出する検出ステップと、
上記検出ステップによる検出結果により、上記ヘッダ情報処理ステップに向けて上記入力符号化データ列中に符号誤りを検出したことを通知する通知ステップと、
上記符号誤りを含む入力符号化データ列を補償するデータとして一連の係数シーケンスを生成する生成ステップと、
上記生成ステップにより生成された補償データを排出する排出ステップと、
上記可変長符号復号化ステップから上記ヘッダ情報処理ステップに対して上記入力符号化データ列の一部を出力する出力ステップと、
上記出力ステップにより得られる入力符号化データ列中から再同期識別子を探索する探索ステップと、
上記探索ステップによる再同期識別子探索の実行を判断する判断ステップとをさらに含むことを特徴とするプログラム。
【請求項１５】
請求項１４記載のプログラムを記録したことを特徴とするコンピュータ読み取り可能な記憶媒体。
【手続補正２】
【補正対象書類名】明細書
【補正対象項目名】００２２
【補正方法】変更
【補正の内容】
【００２２】
しかしながら、従来では、上述したような２つの異なる用途における相反する誤り補償処理への要求を満足する構成が存在せず、ユーザの利便性を著しく損なう、という問題があった。
【手続補正３】
【補正対象書類名】明細書
【補正対象項目名】００２３
【補正方法】変更
【補正の内容】
【００２３】
本発明は、上述したような事情に鑑みてなされたものであり、符号誤りを含む静止画像又は動画像に対する復号化処理の用途に応じて、より原画像に忠実な再生画像を得ることを優先させた誤り補償処理と、通常の復号化処理と同程度の処理時間内に処理を完了する誤り補償処理とを適応的に実行する構成により、常に効率的且つ適切な誤り補償処理を実行でき、ユーザの利便性の向上を図ることができる、画像処理装置、画像処理方法、それを実施するためのプログラムを記録したコンピュータ読み取り可能な記憶媒体、及び当該プログラムを提供することを目的とする。
【手続補正４】
【補正対象書類名】明細書
【補正対象項目名】００２４
【補正方法】変更
【補正の内容】
【００２４】
本発明の画像処理装置は、画面内で再同期処理のための再同期識別子が付加されている符号化画像データを入力する入力手段と、上記符号化画像データの符号誤りを検出する誤り検出手段と、上記再同期識別子を検出する再同期検出手段と、上記誤り検出手段での検出結果に応じて、上記符号化画像データに対して誤り補償処理を実行する誤り処理手段とを備え、上記誤り処理手段は、上記誤り検出手段により符号誤りが検出された以降の符号化画像データを補償する第１の処理モードと、上記誤り検出手段により符号誤りが検出された以降に上記再同期検出手段により再同期識別子が検出されるまでの期間、符号化画像データを補償する第２の処理モードを有し、さらに上記誤り処理手段は、上記符号化画像データの属性に応じて上記第１の処理モードと第２の処理モードを選択することを特徴とする。
本発明の画像処理方法は、画面内で再同期処理のための再同期識別子が付加されている符号化画像データを入力する入力ステップと、上記符号化画像データの符号誤りを検出する誤り検出ステップと、上記再同期識別子を検出する再同期検出ステップと、上記誤り検出ステップでの検出結果に応じて、上記符号化画像データに対して誤り補償処理を実行する誤り処理ステップとを有し、上記誤り処理ステップは、上記誤り検出ステップにより符号誤りが検出された以降の符号化画像データを補償する第１の処理モードと、上記誤り検出ステップにより符号誤りが検出された以降に上記再同期検出ステップにより再同期識別子が検出されるまでの期間、符号化画像データを補償する第２の処理モードを有し、上記誤り処理ステップは、上記符号化画像データの属性に応じて上記第１の処理モードと第２の処理モードを選択することを特徴とする。
また、本発明の画像処理方法は、入力符号化データ列のヘッダ情報を解析して符号化パラメータを取得するヘッダ情報処理ステップと、上記入力符号化データ列の連続する複数の可変長符号からなる画像情報を順次復号化して一連の係数シーケンスを取得する可変長符号復号化ステップと、上記ヘッダ情報処理ステップにより得られた符号化パラメータと、上記可変長符号復号化ステップにより得られた一連の係数シーケンスとに基づいて、上記画像情報を再構成する画像再構成ステップとを含む画像処理方法であって、上記入力符号化データ列に含まれる符号誤りを検出する検出ステップと、上記検出ステップによる検出結果により、上記ヘッダ情報処理ステップに向けて上記入力符号化データ列中に符号誤りを検出したことを通知する通知ステップと、上記符号誤りを含む入力符号化データ列を補償するデータとして一連の係数シーケンスを生成する生成ステップと、上記生成ステップにより生成された補償データを排出する排出ステップと、上記可変長符号復号化ステップから上記ヘッダ情報処理ステップに対して上記入力符号化データ列の一部を出力する出力ステップと、上記出力ステップにより得られる入力符号化データ列中から再同期識別子を探索する探索ステップと、上記探索ステップによる再同期識別子探索の実行を判断する判断ステップとをさらに含むことを特徴とする構成により、符号化データ列に対する復号化処理において符号誤りが検出された場合、処理対象画像に応じて（例えば、静止画像であるか動画像であるかによって、或いは適用している符号化方式が何であるか等によって）、符号誤りが検出された以降の符号化データ列中から再同期識別子（リスタート・マーカ等）を探索する再同期処理の実行を判断するようにしたものである。
本発明のプログラムは、上述した画像処理方法の各ステップをコンピュータに実行させることを特徴とする。
また、本発明のコンピュータ読み取り可能な記憶媒体は、上記プログラムを記録したことを特徴とする。
【手続補正５】
【補正対象書類名】明細書
【補正対象項目名】００２５
【補正方法】変更
【補正の内容】
【００２５】
本発明によれば、処理対象画像の符号化画像データの符号誤りの検出結果に応じて誤り補償処理を実行する際、符号化画像データの属性に応じて、符号誤りが検出された以降の符号化画像データを補償する第１の処理モードと、符号誤りが検出された以降に再同期識別子が検出されるまでの期間、符号化画像データを補償する第２の処理モードを選択するように構成した。
上記構成により、符号誤りを含む処理対象画像に対する復号化処理の用途に応じて、より原画像に忠実な再生画像を得ることを優先させた誤り補償処理や、通常の復号化処理と同程度の処理時間内に処理を完了する誤り補償処理等を適応的に実行することができる。
具体的には、符号化データ列に対する復号化処理において符号誤りが検出された場合、処理対象画像に応じて（例えば、静止画像であるか動画像であるか、或いは符号化方式が何であるか等によって）、符号誤りが検出された以降の符号化データ列中から再同期識別子を探索する再同期処理を実行するか否かを判断することで、符号誤りを含む処理対象画像に対する復号化処理の用途に応じて、より原画像に忠実な再生画像を得ることを優先させた誤り補償処理と、通常の復号化処理と同程度の処理時間内に処理を完了する誤り補償処理とを適応的に行える効果がある。
したがって、本発明によれば、常に効率的且つ適切な誤り補償処理を実行でき、ユーザの利便性の向上を図ることができる。